(57)【要約】    【課題】  電気光学変調装置の各物理画素の特性に起因して発生する表示画像の画質劣化を抑制する。    【解決手段】  電気光学変調装置（液晶装置１１）の画像形成領域を複数に区分して得られた各領域ごとに照明可能に設けられた固体光源Ｌ１１〜Ｌ１５，Ｌ２１〜Ｌ２５，Ｌ３１〜Ｌ３５，Ｌ４１〜Ｌ４５と、前記各領域への画像データの書き込みに基づいて、前記固体光源に対する点灯制御を行う光源点灯制御部１と、前記電気光学変調装置１１に対応する光学像を表示面上で移動させることにより、表示面上に表示される表示画像の、あるＭ個（Ｍは自然数）の表示画素を、前記電気光学変調装置１１のＮ個（Ｎは自然数でＮ＞Ｍ）の物理画素を用いて表示させる画質劣化改善部２とを有する。【選択図】  図２
2006113229.tif 000002
【特許請求の範囲】
【請求項１】
電気光学変調装置の画像形成領域を複数に区分して得られた各領域ごとに照明可能に設けられた固体光源と、
前記各領域への画像データの書き込みに基づいて、前記固体光源を点灯制御する光源点灯制御部と、
前記電気光学変調装置に対応する光学像を表示面上で移動させることにより、前記表示面上に表示される表示画像の、あるＭ個（Ｍは自然数）の表示画素を、前記電気光学変調装置のＮ個（Ｎは自然数でＮ＞Ｍ）の物理画素を用いて表示させる画質劣化改善部と、
を有することを特徴とするプロジェクタ。
【請求項２】
請求項１に記載のプロジェクタにおいて、
前記画質劣化改善部は、
前記光学像移動制御部に対して移動制御情報を出力する機能、前記光源点灯制御部に対して前記各領域を所定の順序で照明可能とする点灯制御情報を出力する機能及び前記電気光学変調装置への画像データの書き込み制御を行う機能を有する画像制御部と、
前記画像制御部からの移動制御情報に基づいて、前記電気光学変調装置に対応する光学像を前記表示画素の整数倍の位置に移動可能な光学像移動制御部と、
を有することを特徴とするプロジェクタ。
【請求項３】
請求項２に記載のプロジェクタにおいて、
前記画像制御部は、前記電気光学変調装置への画像データの書き込み制御を行う際、前記表示画像を前記電気光学変調装置に対応する光学像の移動方向と逆方向に同じ移動量だけ移動させる書き込み制御を可能とすることを特徴とするプロジェクタ。
【請求項４】
請求項２または３に記載のプロジェクタにおいて、
前記画像制御部は、前記光源点灯制御部に対して前記各領域を所定の順序で照明可能とする点灯制御情報を行う際、照明状態となった領域間で、ある一定時間だけ消灯時間が存在するような点灯制御を行うことを特徴とするプロジェクタ。
【請求項５】
請求項４に記載のプロジェクタにおいて、
前記画像制御部は、前記消灯時間を利用して前記光学像移動制御部に対する移動制御情報の出力を行うことを特徴とするプロジェクタ。
【請求項６】
請求項１〜５のいずれかに記載のプロジェクタにおいて、
前記Ｍ個の表示画像のＭは１であることを特徴とするプロジェクタ。
【請求項７】
電気光学変調装置を照明可能な光源と、
前記光源に対する点灯制御を行う光源点灯制御部と、
前記光源からの光を前記電気光学変調装置上でスクロールさせることによって、前記電気光学変調装置の画像形成領域を複数に区分して得られた各領域ごとに照明可能な光走査装置と、
前記光走査装置を制御する機能を有する光走査装置制御部と、
前記電気光学変調装置に対応する光学像を表示面上で移動させることにより、前記表示面上に表示される表示画像の、あるＭ個（Ｍは自然数）の表示画素を、前記電気光学変調装置のＮ個（Ｎは自然数でＮ＞Ｍ）の物理画素を用いて表示させる画質劣化改善部と、
を有することを特徴とするプロジェクタ。
【請求項８】
請求項７に記載のプロジェクタにおいて、
前記光走査装置は、前記光源からの光をそれぞれの時間ずつ断続的に透過・遮光可能な光透過・遮光部と、前記光源からの光を前記各領域に対応して順次走査可能とする光走査光学系とを有することを特徴とするプロジェクタ。
【請求項９】
請求項８に記載のプロジェクタにおいて、
前記画質劣化改善部は、
前記光学像移動制御部に対して移動制御情報を出力する機能、前記光走査装置制御部に対して前記光透過・遮光部を制御するための光透過・遮光部制御情報及び前記光走査光学系を制御する光走査光学系制御情報をそれぞれ出力する機能、前記電気光学変調装置への画像データの書き込み制御を行う機能を有する画像制御部と、
前記画像制御部からの移動制御情報に基づいて、前記電気光学変調装置に対応する光学像を前記表示画素の整数倍の位置に移動可能な光学像移動制御部と、
を有することを特徴とするプロジェクタ。
【請求項１０】
請求項９に記載のプロジェクタにおいて、
前記画像制御部は、前記光透過・遮光部による光の遮光時間を利用して前記光走査光学系制御情報の出力及び前記光学像移動制御部に対する移動制御情報の出力を行うことを特徴とするプロジェクタ。
【請求項１１】
電気光学変調装置の画像形成領域を複数に区分して得られた各領域ごとに照明可能に設けられた固体光源と、前記各領域への画像データの書き込みに基づいて、前記固体光源を点灯制御する光源点灯制御部と、前記電気光学変調装置に対応する光学像を表示面上で移動させる光学像移動制御部とを有し、前記電気光学変調装置の画素数よりも多くの画素数の表示画像を前記表示画面で表示可能なプロジェクタであって、
前記光源点灯制御部は、前記電気光学変調装置上の複数の領域に加えて、該電気光学変調装置上の複数の領域に連続する少なくとも１つの領域を照明可能とする点灯制御を可能とし、前記光学像移動制御部は、前記電気光学変調装置に対応する光学像を、少なくとも、電気光学変調装置の垂直方向における表示可能画素数分だけ垂直方向に移動可能とすることを特徴とするプロジェクタ。
【請求項１２】
電気光学変調装置を照明可能な光源と、前記光源に対する点灯制御を行う光源点灯制御部と、前記光源からの光を前記電気光学変調装置上でスクロールさせることによって、前記電気光学変調装置の画像形成領域を複数に区分して得られた各領域ごとに照明可能な光走査装置と、前記光走査装置を制御する機能を有する光走査装置制御部と、前記電気光学変調装置に対応する光学像を表示面上で移動させる光学像移動制御部とを有し、前記電気光学変調装置の画素数よりも多くの画素数の表示画像を前記表示画面で表示可能なプロジェクタであって、
前記光走査装置制御部は、前記電気光学変調装置上の複数の領域に加えて、該電気光学変調装置上の複数の領域に連続する少なくとも１つの領域を照明可能とする光走査制御を可能とし、前記光学像移動制御部は、少なくとも、電気光学変調装置の垂直方向における表示可能画素数分だけ垂直方向に移動可能とすることを特徴とするプロジェクタ。
【発明の詳細な説明】
【技術分野】
【０００１】
本発明はプロジェクタに関する。
【背景技術】
【０００２】
電気光学変調装置としての透過型光変調画像形成手段あるいは反射型光変調画像形成手には、ガラス基板間に液晶材料をはさみ込んだパネルを用いたもの（以下、ＬＣＤと略す）、シリコン基板の上に液晶材料を積層したもの（以下、ＬＣＯＳと略す）あるいは、シリコン基板の上に形成された微細な反射板を駆動するもの（以下ＤＭＤと略す）などがある。
【０００３】
これらの電気光学変調装置は、非常に微細な加工が必要とされるため、電気光学変調装置の各画素（物理画素という）に不具合が発生することは避けられない。また、不具合の種類も、応答特性のばらつきのようなものから、入力信号に対して全く応答しないと言うようなものまで様々である。
【０００４】
このような電気光学変調装置の各物理画素の特性のばらつきなどによる不具合は、表示面上で表示される表示画像上での表示のむら、常時点灯している輝点、常時消灯している暗点などの画質劣化として現れる。とりわけ、空間周波数の高い画質劣化、つまり、表示画像上の小さな領域に局在する画質劣化は、人間の目の特性として視認しやすいものであり、表示画像の品質上、重大な問題となる。
【０００５】
このような問題に対処する方法として、消極的な方法ではあるが製品選別を行うと言う方法がある。つまり、ある水準以上の不具合があるものは不良品としてしまう方法である。しかし、この方法は、生産性の低下を招くとともに、大量の不良品を発生させることにもなり、環境に与える影響という面からも好ましいものではない。
【０００６】
また、上述の問題に対処する他の方法としては、何らかの補正を加えると言う積極的な方法がある（たとえば、特許文献１〜特許文献５参照）。
これら、特許文献１〜特許文献５のうち、特許文献１〜特許文献３に開示されている方法は、いずれも本質的には同じ考え方に基づくものであり、ある位置、ある色の画素に画質劣化があった場合、その近傍の画素の値を制御することにより、画質劣化した画素を見えにくくするものである。
【０００７】
また、特許文献４と特許文献５に開示されている方法は、両者とも類似したものであり、表示画像上の画質劣化した部分の補正を行うように、電気光学変調装置を駆動するための信号を加工するものである。それにより、本質的に画質劣化した部分を見えにくくするものである。
【０００８】
【特許文献１】特開２００１−１０９４２３
【特許文献２】特開２００１−３５６７３０
【特許文献３】特開２００２−１８９４４０
【特許文献４】特開２００２−３６６１０９
【特許文献５】特開２００３−３１６３３０
【発明の開示】
【発明が解決しようとする課題】
【０００９】
しかしながら、特許文献１、特許文献２、特許文献３に記載の方法は、画質劣化した部分を見えにくくしているだけである。このため、たとえば、表示面に近づいて観察する場合などにおいてはその画質劣化した部分は見えてしまうと言う問題がある。また、電気光学変調装置の空間解像度が高くない場合においては、この方法そのものが有効に機能しないと言う問題がある。
【００１０】
一方、特許文献４、特許文献５に記載の方法は、原理的に言えば非常に有効な方法であり、本質的に画質劣化した部分を見えなくすることが可能である。しかし、これを実行するためには非常に精密な電気回路上の制御が必要であると言う問題がある。また、電気光学変調装置の完全な短絡、完全な切断などの不具合においては機能しないと言う問題もある。極端な例としては、ＤＭＤ素子の反射板が欠落しているような場合、あるいは固着しているような場合においては全く無効である。
【００１１】
なお、特許文献５は、電気光学変調装置の物理画素の数よりも、表示面上に表示される表示画像の画素（表示画素という）の数を見かけ上、増やすという考え方である。これは、従来、表示画像の１つの表示画素と、電気光学変調装置の１つの物理画素とは、物理的に、あるいは投写光学系を通じて１対１に対応付けられているのが一般的であるが、この特許文献５は、１つの物理画素で複数の表示画素を表示するものである。
【００１２】
この特許文献５は、このような方法を採用することによって、見かけ上の解像度を高くしようとするものである。これによれば、確かに、見かけ上の解像度の改善は図れると考えられる。しかし、この特許文献５では、電気光学変調装置における各物理画素の特性に起因して発生する表示画像の画質劣化を抑制することはできない。
【００１３】
また、このような電気光学変調装置における各物理画素の特性に起因して発生する表示画像の画質劣化とともに、液晶装置などのホールド型の表示モードを有する電気光学変調装置を用いたプロジェクタは、動画像の表示を行う場合、この種の電気光学変調装置の特性により尾引きのあるぼやけた画像表示となるといった問題もある。したがって、この尾引きのあるぼやけた画像表示の抑制を行うことも要求される。
【００１４】
本発明は、電気光学変調装置における各物理画素の特性に起因して発生する表示画像の画質劣化を抑制することによって、高品質な画像表示を可能とし、また、尾引きのあるぼやけた画像表示となるのを防止することのできるプロジェクタを提供することを目的とする。
【課題を解決するための手段】
【００１５】
（１）本発明のプロジェクタは、電気光学変調装置の画像形成領域を複数に区分して得られた各領域ごとに照明可能に設けられた固体光源と、前記各領域への画像データの書き込みに基づいて、前記固体光源を点灯制御する光源点灯制御部と、前記電気光学変調装置に対応する光学像を表示面上で移動させることにより、前記表示面上に表示される表示画像の、あるＭ個（Ｍは自然数）の表示画素を、前記電気光学変調装置のＮ個（Ｎは自然数でＮ＞Ｍ）の物理画素を用いて表示させる画質劣化改善部とを有することを特徴とする。
【００１６】
このように、表示画像のＭ個の表示画素を、電気光学変調装置のＮ個（Ｎ＞Ｍ）の物理画素を用いて表示することで、電気光学変調装置における各物理画素の特性に起因して発生する表示画像の画質劣化（電気光学変調装置の物理画素の常時消灯や常時点灯などの欠陥による画質劣化）を時間平均において分散することができる。
【００１７】
これは、前記電気光学変調装置に対応する光学像を表示面上で移動させることにより、電気光学変調装置の物理画素と表示画像の表示画素との対応が時間によって変化することによって実現できる。たとえば、前記Ｍ個の表示画素のＭをＭ＝１とすれば、表示画像を構成するある１つの画素を電気光学変調装置のＮ個（２個以上）の画素で表示することによって、電気光学変調装置の物理画素の常時消灯や常時点灯などの欠陥による画質劣化を時間平均において分散することができる。これにより、表示画像上においては、常時消灯による暗点や常時点灯による輝点は、殆んど視認できない状態となり、高品質な画像表示が可能となる。
【００１８】
また、電気光学変調装置の画像形成領域を複数に区分して得られた各領域が所定の順序で照明可能となるように、各領域に対応する固体光源に対する点灯制御を行うことによって、ある１画面（１フレーム）全体の表示状態が次のフレームまで保持されることがなくなり、尾引きのあるぼやけた画像表示となるのを抑制することができる。なお、電気光学変調装置の画像形成領域を複数に区分して得られた各領域というのは、具体的には、電気光学変調装置の画像形成領域をたとえば水平方向の走査線に沿って複数に区分して得られた領域である。
【００１９】
また、光源として固体光源を用いることにより、瞬時点灯・瞬時消灯が可能で、点灯の立ち上がり時における輝度ムラ・色ムラの少ない照明が可能となる。また、瞬時点灯・瞬時消灯が可能であるということは、高精度でかつ自由なタイミングでの点灯制御が可能となり、これにより、きめ細かで高精度な点灯制御が可能となる。
【００２０】
（２）前記（１）に記載のプロジェクタにおいて、前記画質劣化改善部は、前記光学像移動制御部に対して移動制御情報を出力する機能、前記光源点灯制御部に対して前記各領域を所定の順序で照明可能とする点灯制御情報を出力する機能及び前記電気光学変調装置への画像データの書き込み制御を行う機能を有する画像制御部と、前記画像制御部からの移動制御情報に基づいて、電気光学変調装置に対応する光学像を前記表示画素の整数倍の位置に移動可能な光学像移動制御部とを有することが好ましい。
画質劣化改善部をこのような構成とすることによって、前記（１）に記載のプロジェクタを実現することができる。
【００２１】
（３）前記（２）に記載のプロジェクタにおいて、前記画像制御部は、前記電気光学変調装置への画像データの書き込み制御を行う際、前記表示画像を前記電気光学変調装置に対応する光学像の移動方向と逆方向に同じ移動量だけ移動させる書き込み制御を可能とすることが好ましい。
これにより、電気光学変調装置に対応する画像光が表示面上で位置が変化しても、表示画像は表示面上においてその位置が変化することはなく、表示画面を見るユーザに違和感を与えることはない。
【００２２】
（４）前記（１）〜（３）のいずれかに記載のプロジェクタにおいて、前記画像制御部は、前記光源点灯制御部に対して前記各領域を所定の順序で照明する際、照明状態となった領域間で、ある一定時間だけ消灯時間が存在するような点灯制御を行うことが好ましい。
このように、前記所定順序で照明状態となった領域間で、ある一定時間だけ消灯時間を設けることによって、表示面上で視聴者に視認されない時間を設けることができ、この消灯時間を利用して何らかの操作を行うことができる。
【００２３】
（５）前記（４）に記載のプロジェクタにおいて、前記画像制御部は、前記消灯時間を利用して前記光学像移動制御部に対する移動制御情報の出力を行うことが好ましい。
このように、各領域間に設けられた消灯時間を利用して電気光学変調装置に対応する光学像の移動を行うようにしているので、電気光学変調装置に対応する光学像の移動を表示面上で視聴者に視認されることなく行うことができる。
【００２４】
（６）前記（１）〜（５）のプロジェクタにおいて、前記Ｍ個の表示画像のＭは１であることが好ましい。
これは、表示画像を構成するある１つの画素を電気光学変調装置のＮ個（２個以上）の画素で表示することである。これによって、前述したように、電気光学変調装置のある特定の物理画素に、たとえば、常時消灯や常時点灯などの不具合が存在する場合、常時消灯による暗点や常時点灯による輝点を分散することができるので、表示画像上においては、これら暗点や輝点は殆んど視認できない状態となる。
【００２５】
（７）本発明のプロジェクタは、電気光学変調装置を照明可能な光源と、前記光源に対する点灯制御を行う光源点灯制御部と、前記光源からの光を前記電気光学変調装置上でスクロールさせることによって、前記電気光学変調装置の画像形成領域を複数に区分して得られた各領域ごとに照明可能な光走査装置と、前記光走査装置を制御する機能を有する光走査装置制御部と、前記電気光学変調装置に対応する光学像を表示面上で移動させることにより、前記表示面上に表示される表示画像の、あるＭ個（Ｍは自然数）の表示画素を、前記電気光学変調装置のＮ個（Ｎは自然数でＮ＞Ｍ）の物理画素を用いて表示させる画質劣化改善部とを有することを特徴とする。
【００２６】
これによっても、（１）のプロジェクタと同様、電気光学変調装置における各物理画素の特性に起因して発生する表示画像の画質劣化を抑制することができ、高品質な画像表示が可能となる。また、複数の領域が所定の順序で照明可能となるように、各領域が順次照明状態となるように、光源からの光をスクロールさせる光走査制御を行うことによって、ある１画面（１フレーム）全体の表示状態が次のフレームまで保持されることがなくなり、尾引きのあるぼやけた画像表示となるのを抑制することができる。
【００２７】
（８）前記（７）に記載のプロジェクタにおいて、前記光走査装置は、前記光源からの光をそれぞれの時間ずつ断続的に透過・遮光可能な光透過・遮光部と、前記光源からの光を前記各領域に対応して順次走査可能とする光走査光学系とを有することが好ましい。
これにより、１つの光源からの光によって複数の領域を各領域ごとに照明することができる。
【００２８】
（９）前記（８）に記載のプロジェクタにおいて、前記画質劣化改善部は、前記光学像移動制御部に対して移動制御情報を出力する機能、前記光走査装置制御部に対して前記光透過・遮光部を制御するための光透過・遮光部制御情報及び前記光走査光学系を制御する光走査光学系制御情報をそれぞれ出力する機能、前記電気光学変調装置への画像データの書き込み制御を行う機能を有する画像制御部と、前記画像制御部からの移動制御情報に基づいて、前記電気光学変調装置に対応する光学像を前記表示画素の整数倍の位置に移動可能な光学像移動制御部とを有することが好ましい。
画質劣化改善部をこのような構成とすることによって、前記（７）に記載のプロジェクタを実現することができる。
【００２９】
（１０）前記（９）に記載のプロジェクタにおいて、前記画像制御部は、前記光透過・遮光部による光の遮光時間を利用して前記光走査光学系制御情報の出力及び前記光学像移動制御部に対する移動制御情報の出力を行うことが好ましい。
これにより、各領域ごとの照明の切り替えと光学像の移動とを表示面上で視認されることなく行うことができる。
また、前記（７）に記載のプロジェクタにおいても、前記（３）及び（６）に記載の特徴を有することが好ましい。
また、（１）〜（７）のいずれかのプロジェクタにおいて、前記画像制御部は、Ｎ個の物理画素に対応付けられる各表示画素の表示位置に対応した補正パラメータを取得して、取得した補正パラメータに基づいてＮ個の物理画素に対応付けられる表示画素の画素値を補正する機能をさらに有することも可能である。この場合、前記補正パラメータは、前記電気光学変調装置の各物理画素に設定された各物理画素の特性を表す特性値に基づいて求められることが好ましい。
【００３０】
（１１）本発明のプロジェクタは、電気光学変調装置の画像形成領域を複数に区分して得られた各領域ごとに照明可能に設けられた固体光源と、前記各領域への画像データの書き込みに基づいて、前記固体光源を点灯制御する光源点灯制御部と、前記電気光学変調装置に対応する光学像を表示面上で移動させる光学像移動制御部とを有し、前記電気光学変調装置の画素数よりも多くの画素数の表示画像を前記表示画面で表示可能なプロジェクタであって、前記光源点灯制御部は、前記電気光学変調装置上の複数の領域に加えて、該電気光学変調装置上の複数の領域に連続する少なくとも１つの領域を照明可能とする点灯制御を可能とし、前記光学像移動制御部は、前記電気光学変調装置に対応する光学像を、少なくとも、電気光学変調装置の垂直方向における表示可能画素数分だけ垂直方向に移動可能とすることを特徴とする。
【００３１】
これは、（１）に記載のプロジェクタにおいて、電気光学変調装置上の複数の領域を領域ごとに順次照明することが可能であることと、表示面上において電気光学変調装置に対応する光学像の移動制御が可能であることとを利用したものであり、本発明によれば、画素数の少ない電気光学変調装置を用いて表示面上で画素数の大きな（高解像度な）画像を表示させることができる。
【００３２】
（１２）本発明のプロジェクタは、電気光学変調装置を照明可能な光源と、前記光源に対する点灯制御を行う光源点灯制御部と、前記光源からの光を前記電気光学変調装置上でスクロールさせることによって、前記電気光学変調装置の画像形成領域を複数に区分して得られた各領域ごとに照明可能な光走査装置と、前記光走査装置を制御する機能を有する光走査装置制御部と、前記電気光学変調装置に対応する光学像を表示面上で移動させる光学像移動制御部とを有し、前記電気光学変調装置の画素数よりも多くの画素数の表示画像を前記表示画面で表示可能なプロジェクタであって、前記光走査装置制御部は、前記電気光学変調装置上の複数の領域に加えて、該電気光学変調装置上の複数の領域に連続する少なくとも１つの領域を照明可能とする光走査制御を可能とし、前記光学像移動制御部は、少なくとも、電気光学変調装置の垂直方向における表示可能画素数分だけ垂直方向に移動可能とすることを特徴とする。
【００３３】
これは、（６）に記載のプロジェクタにおいて、電気光学変調装置上の複数の領域を領域ごとに順次照明することが可能であることと、表示面上において電気光学変調装置に対応する光学像の移動制御が可能であることとを利用したものであり、これによっても、画素数の少ない電気光学変調装置を用いて表示面上で画素数の大きな（高解像度な）画像を表示させることができる。
【発明を実施するための最良の形態】
【００３４】
以下、本発明の実施の形態について説明する。なお、以下に示す実施形態では、電気光学変調装置として液晶表示パネル（液晶装置と呼ぶことにする）を用いた例について説明を行う。
【００３５】
[実施形態１]
図１は本発明の実施形態１に係るプロジェクタの光学系を概略的に示す図である。図１（Ａ）は側面図、図１（Ｂ）は平面図である。なお、この図１は実施形態１の説明に必要としない構成要素についての図示は省略されている。
【００３６】
実施形態１に係るプロジェクタは、電気光学変調装置としての液晶装置１１と、この液晶装置１１のバックライトとしての役目をなす複数個（実施形態１では図１の破線枠内に示すように垂直方向に４個、水平方向に５個としている）の固体光源（発光ダイオードなど）Ｌ１１〜Ｌ１５，Ｌ２１〜Ｌ２５，Ｌ３１〜Ｌ３５，Ｌ４１〜Ｌ４５と、これら固体光源Ｌ１１〜Ｌ１５，Ｌ２１〜Ｌ２５，Ｌ３１〜Ｌ３５，Ｌ４１〜Ｌ４５と液晶装置１１との間に設けられ、各固体光源Ｌ１１〜Ｌ１５，Ｌ２１〜Ｌ２５，Ｌ３１〜Ｌ３５，Ｌ４１〜Ｌ４５からの光を液晶装置１１上に均一な輝度で拡散するためのロッドインテグレータ２０１，２０２，２０３，２０４と、液晶装置１１の射出側に設けられた投写レンズ１３とを有している。
【００３７】
なお、固体光源Ｌ１１〜Ｌ１５，Ｌ２１〜Ｌ２５，Ｌ３１〜Ｌ３５，Ｌ４１〜Ｌ４５は、液晶装置１１の画像形成領域としてのパネル面を水平方向の走査線に沿って４つに区分して得られた各領域Ａ１，Ａ２，Ａ３，Ａ４を照明するようにそれぞれの領域ごとに設けられる。すなわち、固体光源Ｌ１１〜Ｌ１５は、液晶装置１１の領域Ａ４に対応して設けられ、固体光源Ｌ２１〜Ｌ２５は、液晶装置１１の領域Ａ３に対応して設けられ、固体光源Ｌ３１〜Ｌ３５は、液晶装置１１の領域Ａ２に対応して設けられ、固体光源Ｌ４１〜Ｌ４５は、液晶装置１１の領域Ａ１に対応して設けられる。
【００３８】
そして、固体光源Ｌ１１〜Ｌ１５，Ｌ２１〜Ｌ２５，Ｌ３１〜Ｌ３５，Ｌ４１〜Ｌ４５と液晶装置１１の領域Ａ１，Ａ２，Ａ３，Ａ４との間にはロッドインテグレータ２０１，２０２，２０３，２０４が介在される。
【００３９】
また、ロッドインテグレータ２０１，２０２，２０３，２０４のそれぞれ入射側には各固体光源Ｌ１１〜Ｌ１５，Ｌ２１〜Ｌ２５，Ｌ３１〜Ｌ３５，Ｌ４１〜Ｌ４５に対応して集光レンズ２１１〜２１５、２２１〜２２５、２３１〜２３５，２４１〜２４５（集光レンズ２２１〜２２５、２３１〜２３５，２４１〜２４５は図示せず）が設けられる。また、各ロッドインテグレータ２０１，２０２，２０３，２０４のそれぞれの射出側には、１枚の集光レンズ２４が設けられる。
【００４０】
これにより、固体光源Ｌ１１〜Ｌ１５からの光は、それぞれ対応する集光レンズ２１１〜２１５によってロッドインテグレータ２０１に入射され、ロッドインテグレータ２０１を通過した後、集光レンズ２４によって液晶装置１１の領域Ａ４に照射される。
【００４１】
同様に、固体光源Ｌ２１〜Ｌ２５からの光は、それぞれ対応する集光レンズ２２１〜２２５、ロッドインテグレータ２０２、集光レンズ２４を通過したのちに液晶装置１１の領域Ａ３に照射され、固体光源Ｌ３１〜Ｌ３５からの光は、それぞれ対応する集光レンズ２３１〜２３５、ロッドインテグレータ２０３、集光レンズ２４を通過したのちに液晶装置１１の領域Ａ２に照射され、固体光源Ｌ４１〜Ｌ４５からの光は、それぞれ対応する集光レンズ２４１〜２４５、ロッドインテグレータ２０４、集光レンズ２４を通過したのちに液晶装置１１の領域Ａ１に照射される。
【００４２】
なお、ロッドインテグレータ２０１，２０２，２０３，２０４は、それぞれが、たとえば、ガラス製でなり断面が長方形の板状のもの又は中空で内面が反射幕で覆われたものなどが使用される。
【００４３】
また、本発明では、スクリーンなどの表示面に表示される電気光学変調装置に対応する光学像（以下では、液晶装置１１に対応する光学像という）を、表示画像を構成する表示画素の整数倍の位置に移動可能な光学像移動制御部２１（図２参照）を有している。
【００４４】
図２は実施形態１に係るプロジェクタの画像表示制御部１０の概要を示すブロック図である。この画像表示制御部１０は、固体光源Ｌ１１〜Ｌ１５，Ｌ２１〜Ｌ２５，Ｌ３１〜Ｌ３５，Ｌ４１〜Ｌ４５を点灯制御させる光源点灯制御部１と、液晶装置１１における各物理画素の特性に起因して発生する表示画像の画質劣化を改善する画質劣化改善部２とを有している。
【００４５】
画質劣化改善部２は、以下に説明する「画質劣化改善方法（その１）」及び「画質劣化改善方法（その２）」に対応したそれぞれの画質劣化改善機能を有するが、まずは、「画質劣化改善方法（その１）」に対応した画質劣化改善機能について説明する。この画質改善部２は、液晶装置１１における各物理画素の特性に起因して発生する表示画像の画質劣化（電気光学変調装置の物理画素の常時消灯や常時点灯などの欠陥による画質劣化）を時間平均において分散することによって画質改善を行う機能を有するものである。
【００４６】
画質劣化改善部２は、画像制御部２０と光学像移動制御部２１を有している。
画像制御部２０は、光学像移動制御部２１に対して移動制御情報を出力する機能、光源点灯制御部１に対して各領域Ａ，Ｂ，Ｃ，Ｄを所定の順序で照明可能とする点灯制御情報を出力する機能及び液晶装置１１への画像データの書き込み制御を行う機能を有する。
なお、画像制御部２０は、液晶装置１１への画像データの書き込み制御を行う際、表示画像を液晶装置１１に対応する光学像の移動方向と逆方向に同じ移動量だけ移動可能とするような書き込み制御を行う。また、画像制御部２０は、光源点灯制御部１に対して各領域Ａ，Ｂ，Ｃ，Ｄを所定の順序で照明する際、照明状態となった領域間で、ある一定時間だけ消灯時間が存在するような点灯制御を行う。
【００４７】
また、光学像移動制御部２１は、画像制御部２０からの移動制御情報に基づいて、液晶装置１１に対応する光学像を表示画素の整数倍の位置に移動可能とする機能を有している。なお、液晶装置１１に対応する光学像を移動させる方法としては、液晶装置１１を垂直方向及び／又は水平方向に移動可能とし、液晶装置１１を垂直方向及び／又は水平方向に所定量だけ移動させる方法や、投写光学系（投写レンズ１３など）の角度を可変とする方法などがある。
【００４８】
実施形態１及び以下に示す実施形態２、実施形態３では、光学像移動制御部２１によって液晶装置１１を、図１（Ａ）に示すように、垂直方向（矢印ｙ−ｙ’方向）及び図１（Ｂ）に示すように、水平方向（矢印ｘ−ｘ’方向）に移動可能とする例について説明する。
【００４９】
次に、画質劣化改善部２の動作について説明する。まずは、画質改善処理について２つの方法を説明する。この２つの方法の一方を「画質劣化改善方法（その１）」とし、他方を「画質劣化改善方法（その２）」とする。なお、以下の「画質劣化改善方法（その１）」及び「画質劣化改善方法（その２）」では、光源の点灯制御などについては説明せずに、画質改善処理のみについて一般的な例を用いて説明する。
【００５０】
まず、「画質劣化改善方法（その１）」について説明する。
まず、画像制御部２０は、光学像移動制御部２１に対して、液晶装置１１を所定画素分だけ移動させるための移動制御情報を出力する。また、画像制御部２０は、液晶装置１１に対して、液晶装置１１に対応する光学像が移動方向と逆方向に同じ移動量だけ移動可能となるような書き込み制御を行う。
このように、光学像移動制御部２１によって、液晶装置１１を所定画素分（表示画素の整数倍）だけ移動させ、また、液晶装置１１に対応する光学像が移動方向と逆方向に同じ移動量だけ移動可能となるような書き込み制御を画像制御部２０によって行う。これにより、液晶装置１１に対応する光学像は表示面上で所定画素分だけ移動するが、表示画像は表面上においてその位置が変化しないことになる。
【００５１】
ところで、従来、表示画像の１つの表示画素と、液晶装置１１の１つの画素（物理画素という）とは、物理的に、あるいは投写光学系を通じて１対１に対応付けられているのが一般的である。そのため、１つの物理画素の特性が１つの表示画素の特性として表示されることになる。
【００５２】
これに対して、「画質劣化改善方法（その１）」によれば、表示画像のある１つの表示画素を、液晶装置１１の複数の物理画素を用いて表示することになる。そのため、ある１つの表示画素においては、それに対応する複数の物理画素の特性が平均化されることになる。
【００５３】
図３は、ある１つの表示画素を複数の物理画素で表示する動作を説明するための図である。図中の細線で示す小さな四角形は表示面上に投影された物理画素を模式的に示し、太線で示す小さな四角形は表示画素を模式的に示すものである。この図３の例では、５×５の表示画素で構成される表示画像を、液晶装置１１の６×６の物理画素を用いて表示させる例を示すものである。
【００５４】
図３からもわかるように、液晶装置１１に対応する光学像（図３においては、１１’の符号を付す）の位置は、光学像移動制御部２１によって、図３（Ａ）〜（Ｄ）の順序で変化するが、各物理画素上に表示される表示画素に対しては、画像制御部２０が液晶装置１１に対応する光学像１１’の移動を相殺するような書き込み制御を液晶装置１１に対して行う。これにより、表示画像は表示面上においてその位置が変化することはない。
【００５５】
すなわち、この図３の例では、表示面上に投写された液晶装置１１に対応する光学像１１’の位置は、図３（Ａ）の位置から図示の左方向（図示矢印ａ方向）へ１画素分だけ移動して図３（Ｂ）の位置となるが、表示画像の各表示画素は図示の右方向へ１画素分だけ移動する。
【００５６】
次に、液晶装置１１に対応する光学像１１’の位置は、図３（Ｂ）の位置から図示の上方向（図示矢印ｂ方向）へ１画素分だけ移動して図３（Ｃ）の位置となるが、表示画像の各表示画素は図示の下方向へ１画素分だけ移動する。さらに、液晶装置１１に対応する光学像１１’の位置は、図３（Ｃ）の位置から図示の右方向（図示矢印ｃ方向）へ１画素分だけ移動して図３（Ｄ）の位置となるが、表示画像の各表示画素は図示の左方向へ１画素分だけ移動する。
【００５７】
このように、液晶装置１１に対応する光学像１１’は、光学像移動制御部２１の移動制御によって表示面上で移動するが、表示画像に対しては、画像制御部２０が液晶装置１１に対応する光学像１１’の移動を相殺するような移動制御を行うので、表示画像は表面上においてその位置が変化することはない。
【００５８】
この図３の例は、液晶装置１１に対応する光学像１１’を図３（Ａ）の位置から左方向に１画素移動させて図３（Ｂ）の位置としたあと、上方向に１画素移動させて図３（Ｃ）の位置とし、さらに、右方向に１画素移動させて図３（Ｄ）の位置とするという順序で移動させるので、表示画像のある１つの表示画素は、液晶装置１１の４つの物理画素で表示されることになる。
【００５９】
図４は、ある１つの表示画素を１６個の物理画素で表示する例を模式的に示す図である。この図４においては、図４の矢印が付されている１６個の物理画素が該矢印の順序で移動することによって、ある１つの表示画素の表示を行う。
【００６０】
図５は、ある物理画素がその特性として常時消灯の不具合を持っている場合における、該物理画素を通る破線矢印Ｋ上の線輝度分布例を示す図である。
図５からもわかるように、今、仮に位置Ｑ１の物理画素が、図５（Ａ）に示すように常時消灯の不具合を持っている場合、該位置Ｑ１を通る破線矢印Ｋ上の線輝度分布は、図５（Ｂ）に示すように、正常な物理画素に対応する輝度はＶｉとなり、位置Ｑ１に対応する輝度は０となる。このため、位置Ｑ１に対応する表示画素が暗点となって表示面上で視認される。
【００６１】
しかし、図４で示したように、１６個の物理画素を用いて、これら１６個の物理画素が順番にある１つの表示画素を表示させるような画質劣化改善を行うことによって、図５の位置Ｑ１に対応する表示画素の暗点は、１／１６に分散される。これを示したものが図６である。
【００６２】
図６は、ある１つの表示画素（位置Ｑ１に対応する表示画素）を１６個の物理画素で表示した場合の位置Ｑ１を通る破線矢印Ｋ上の輝度分布を説明するための図である。
図６（Ａ）からもわかるように、位置Ｑ１に対応する表示画素を、１６個の物理画素を図示の矢印（太線矢印）の順序で移動させて表示させることにより、位置Ｑ１に対応する表示画素の暗さは、図６（Ｂ）に示すように、１６個の物理画素に分散される。つまり、ある１つの表示画素を表示する１６個の物理画素に含まれる１つの暗点の影響は、時間平均において１／１６に軽減されることになる。
【００６３】
このように、常時消灯の不具合を持っている物理画素で表示される位置Ｑ１の表示画素は、前述したような画質劣化改善がなされることにより、正常な輝度をＶｉとすれば、Ｖｉの１／１６、つまり、正常な輝度Ｖｉに対して、６％程度暗くなるだけであり、表示面を見るユーザ側では、暗点を殆ど視認できなくなるまでに改善される。これによって、常時消灯の影響をほとんど受けない高品質な画像表示を行うことができる。
【００６４】
以上は、ある物理画素が常時消灯の不具合を有する場合、その物理画素に対応する表示画素が暗点となる例について説明したが、常時点灯による輝点においても同様に改善される。また、暗点、輝点のような極端な画質劣化ではなく、より小さな画質劣化の影響も時間平均として空間的に分散され、視認しにくくすることができる。
【００６５】
以上説明したように、「画質劣化改善方法（その１）」によれば、ある１つの表示画素が複数の物理画素で表示されることになり、液晶装置１１の特性差が時間的に平均化される。たとえば、前述したように、液晶装置１１の物理画素に常時点灯や常時消灯といった不具合があるがために、表示画像上に極度な暗点や輝点などの画質劣化が現れる場合にも、これらの暗点や輝点が時間的に平均化されて、殆ど視認できなくなるまでに改善することが可能となる。
【００６６】
次に「画質劣化改善方法（その２）」について説明する。
「画質劣化改善方法（その２）」は、複数個の物理画素に対応付けられる各表示画素の表示位置に対応した補正パラメータを用いて画像補正を行うものであり、この画像補正を行う機能は図２で示した画像制御部２０が有する。この場合、画像制御部２０は、補正パラメータを取得する機能と、取得した補正パラメータに基づいて複数個の物理画素に対応付けられる表示画素の画素値を補正する機能とをさらに有する点が「画質劣化改善方法（その１）」と異なる。
【００６７】
以下に、画像制御部２０が行う表示画素の画素値補正の具体例について説明する。
図７は、ある１つの表示画像を１６個の物理画素で表示する例を模式的に示す図であり、これは図５と同じである。なお、この図７では、各物理画素ごとに設定された特性値の例が示されている。
【００６８】
図７に示されている特性値は、液晶装置１１のそれぞれの物理画素の持つ特性を表すもので、表示画像の輝度に与える影響に基づいて設定されたものである。特性値０．０は、その物理画素が正常であることを示す。
【００６９】
また、特性値が負の値で示されているものは、その物理画素が正常よりも暗く（輝度が低く）、特性値が−１．０では完全な暗点であることを示すものであるとする。また、特性値が正の値で示されているものは、その物理画素が正常よりも明るく（輝度が高く）、特性値が１．０では完全な輝点であることを示すものであるとする。
【００７０】
なお、図７の例では、表示画像上で暗点となる物理画素が太線の四角で示され、表示画像上で輝点となる物理画素が破線の四角で示されている。
この特性値に基づいて補正パラメータを求める。この補正パラメータは１次の近似で以下のようにして求めることができる。ここで、ある表示画素において表示したい輝度をＶｉとする。しかし、実際に表示される輝度ｖｉが、
ｖｉ＝Ｖｉ（1.0−ｎｉ）                    （１）
であるとする。
【００７１】
この（１）式において、ｎｉは、表示が暗くなる程度を示す特性値であり、この場合、その特性値は負で表され、その絶対値をｎｉとする。したがって、たとえば、ｎｉが１．０のとき、これは完全な暗点を示す。よって、この暗くなった程度を他の物理画素が補うためには、Ｎ個（Ｎは自然数で、Ｎ＞２とする）の物理画素が１つの表示画素を表示しているものとして、
【数１】
2006113229.tif 000003
だけ明るく表示する必要がある。
【００７２】
この（２）式におけるＮ個の物理画素の中に、他にも暗点側の不具合が１つ以上ある場合は、その暗点側の不具合の特性値をｎｊで表すと、１次の近似で、
【数２】
2006113229.tif 000004
の補正が必要となる。
【００７３】
同様に、この（３）式におけるＮ個の物理画素の中に輝点側の不具合がある場合には、暗さの程度として、
【数３】
2006113229.tif 000005
のように表すことができる。
【００７４】
この（４）式において、ｐｉは、表示が明るくなる程度を示す特性値であり、この場合、その特性値は正で表され、その絶対値をｐｉとする。したがって、ｐｉが１．０のとき、これは完全な輝点を示す。また、明るさの最大値は１．０に正規化されているものと仮定している。よって、この明るくなった程度を他の物理素が補うためには、Ｎ個のそれぞれの物理画素の明るさを、
【数４】
2006113229.tif 000006
だけ暗くする表示する必要がある。
【００７５】
この（５）式におけるＮ個の物理画素の中に、他にも輝点側の不具合が１つ以上ある場合は、その輝点側の不具合の特性値をｐｊで表すと、１次の近似で、
【数５】
2006113229.tif 000007
の補正が必要となる。よって、（３）式と（６）式から、
【数６】
2006113229.tif 000008
の補正が必要となることになる。この（７）式によって得られた値は、表示画素の画素値の補正量であり、その補正量を補正パラメータとして補正パラメータ記憶部２５に記憶させておく。
【００７６】
なお、図７は各物理画素に対し、それぞれ特性値としてのｎｉとｐｉが与えられた状況を模式的に示したものであり、特性値を示す値が負の場合、その絶対値が上記各式におけるｎｉを示し、特性値を示す値が正の場合、その値が上記各式におけるｐｉを示すものとする。
【００７７】
この図７に示した矢印に沿って、(７)式の演算を行うことにより、ある表示画素に対する画素値の補正量を求めることができる。この（７）式の計算は、表示画素と物理画素との対応が決まっていれば予め行うことができ、各表示位置における表示画素に対する補正量を補正パラメータとして補正パラメータ記憶部２５に記憶させておくことができる。
【００７８】
図８は、「画質劣化改善方法（その１）」及び「画質劣化改善方法（その２）」におけるそれぞれの画質劣化改善結果を比較するための図である。なお、この図８は、図４や図７に示すように、表示画像のある１つの表示画素を１６個の物理画素で表示する例において、以上説明した画質劣化改善処理を行った場合の画質劣化改善結果を示すものである。ただし、この図８では、説明を簡単にするために、図７で示した表示画像上で輝点となる物理画素の存在は考えず、表示画像上で暗点となる物理画素みについて考えるものとする。
【００７９】
図８（Ａ）は「画質劣化改善方法（その１）」の場合である。「画質劣化改善方法（その１）」では、ある１つの表示画素を１６個の物理画素を順番に移動させながら表示させる一連の表示シーケンスのうち、暗点となる物理画素（図８においては７番目の物理画素）以外は正常の輝度Ｖｉでの表示がなされている。そのため、１つの物理画素による暗点の影響は１／１６に軽減される。
【００８０】
一方、図８（Ｂ）は「画質劣化改善方法（その２）」における画像補正処理を行った場合の画質劣化改善結果を説明するものである。「画質劣化改善方法（その２）」の場合、画像補正部２６により、１６個の物理画素に対応付けられる各表示画素の表示位置に対応した補正パラメータを用いた画像補正がなされる。これによって、図８（Ｂ）からもわかるように、暗点以外の物理画素で表示される表示画素は、正常な輝度Ｖｉに対し、１／１５の割合だけ明るさを増加させるような画素値の補正がなされる。
【００８１】
このような画像補正がなされることにより、たとえば、図７に示すような、１６個の物理画素による一連の表示シーケンスでの表示がなされると、時間平均において１６個の物理画素がすべて正常な値を表示したと同等なものとすることができる。
【００８２】
以上説明したように、「画質劣化改善方法（その２）」においても、液晶装置１１の特性差が時間的に平均化される。たとえば、前述したように、液晶装置１１の物理画素に常時点灯や常時消灯といった不具合があるがために、表示画像上に極度な暗点や輝点などの画質劣化が現れる場合にも、これらの暗点や輝点が時間的に平均化されて、殆ど視認できなくなるまでに改善することが可能となる。
【００８３】
また、「画質劣化改善方法（その２）」では、画像制御部２０により、複数個の物理画素に対応付けられる各表示画素の表示位置に対応した補正パラメータを用いた画像補正がなされることによって、暗点以外の物理画素で表示される表示画素は、正常な輝度Ｖｉに対し、所定の割合だけ明るさを増加させるような画素値の補正がなされる。このような画像補正がなされることにより、複数個の物理画素による一連の表示シーケンスでの表示がなされると、時間平均において複数個の物理画素がすべて正常な値を表示したと同等な画素値での表示を行うことができる。
【００８４】
また、「画質劣化改善方法（その２）」の説明では、ある物理画素に常時消灯の不具合によって、その物理画素に対応する表示画素が暗点となる場合について説明したが、常時点灯の輝点においても同様に改善することができる。さらに、暗点、輝点のような極端な画質劣化ではなく、より小さな画質劣化の影響も時間平均として空間的に分散され、視認しにくくすることができる。
【００８５】
以上説明した「画質劣化改善方法（その１）」または「画質劣化改善方法（その２）」を本発明のプロジェクタにおいて適用する。なお、液晶装置１１に対応する光学像の移動制御は、本発明の各実施形態では、光学像移動制御部２１により液晶装置１１を垂直方向及び／又は水平方向に移動制御することによって、液晶装置１１に対応する光学像の移動制御が行われるものとする。なお、液晶装置１１の各領域Ａ１，Ａ２，Ａ３，Ａ４を各領域ごとに照明するための制御と、液晶装置１１に対応する光学像を移動させることによる画質劣化改善制御とを併せて画像表示制御と呼ぶことにする。
【００８６】
図９は実施形態１に係るプロジェクタの画像表示制御について説明するタイムチャートである。なお、この実施形態１では、液晶装置１１に対応する光学像の移動制御すなわち液晶装置１１の移動制御は、各フレームごとに１画素分だけ移動させるものとする。
【００８７】
一例としては、１フレーム目の書き込み終了後において、液晶装置１１を１画素分だけ上方に移動させ、２フレーム目の書き込み終了後において、液晶装置１１をさらに１画素分だけ上方に移動させ、その後、３フレーム目の書き込み終了後においては、液晶装置１１を左方向に１画素分だけ移動させ、４フレーム目の書き込み終了後においては、液晶装置１１をさらに左方向に１画素分だけ移動させるというような移動制御が可能である。このような移動制御を行わせるには、スクリーンなどの表示面上での表示画面の縦×横の画素数に対して、液晶装置１１における縦×横の画素数に所定の余裕を持たせるようにする。
なお、図９では、説明の簡単化のため、各フレームにおいて垂直方向のみに１画素分ずつ移動させる動作を行うものとする。なお、図９において、光源によって照明された領域を灰色で示す。
【００８８】
図９（Ａ）に示すように、まず、液晶装置１１の領域Ａ１への書き込みを行い、続いて、領域Ａ２への書き込みを行い、さらに続いて、領域Ａ３への書き込みを行い、この領域Ａ３への書き込みタイミングで領域Ａ１に対応する固体光源Ｌ４１〜Ｌ４５が点灯されたとする。この領域Ａ３への書き込みを行う際は、本来の領域Ａ３への書き込み位置ｐ０から１画素分だけ下にずらした位置ｐ１から書き込みを開始する。
次に、領域Ａ４への書き込みを行い、この領域Ａ４への書き込みのタイミングで領域Ａ２に対応する固体光源Ｌ３１〜Ｌ３５を点灯させる。なお、各領域Ａ１，Ａ２，Ａ３，Ａ４への画像データの書き込み制御は画像制御部２０が行う。また、固体光源の点灯制御は、画像制御部２０が光源点灯制御部１に対して点灯制御情報を与えることによって行う。
【００８９】
ここまでで、１フレーム分（第１フレームとする）の書き込みが終了する。この第１フレームへの書き込みが終了したあと、所定のタイミングで、光学像移動制御部２１が液晶装置１１を上方に１画素分だけ上方に移動させる。この状態で、液晶装置１１の領域Ａ１への書き込みを行うが、この領域Ａ１への書き込みは、本来の領域Ａ１への書き込み位置ｐ０から１画素分だけ下にずらした位置ｐ１から書き込みを開始する。なお、光学像移動制御部２１による液晶装置１１の移動制御は、図９（Ｄ）に示すような画像制御部２からの移動制御情報に基づいて行われる。
【００９０】
そして、この領域Ａ１への書き込みタイミングで領域Ａ３に対応する固体光源Ｌ２１〜Ｌ２５を点灯させる。続いて、領域Ａ２への書き込みを行い、この領域Ａ２への書き込みのタイミングで領域Ａ４に対応する固体光源Ｌ１１〜Ｌ１５を点灯させる。次に、領域Ａ３への書き込みを行う。
【００９１】
そして、この領域Ａ３への書き込みタイミングで領域Ａ１に対応する固体光源Ｌ４１〜Ｌ４５を点灯させる。この領域Ａ３への書き込みを行う際は、本来の領域Ａ３への書き込み位置ｐ０から１画素分だけ下にずらした位置ｐ１から書き込みを開始する。次に、領域Ａ４への書き込みを行い、この領域Ａ４への書き込みタイミングで領域Ａ２に対応する固体光源Ｌ３１〜Ｌ３５を点灯させる。
【００９２】
これにより、第２フレームの書き込みが終了する。この第２フレームへの書き込みが終了したあと、所定のタイミングで、光学像移動制御部２１が液晶装置１１を上方にさらに１画素分だけ移動させる。そして、この状態で、第２フレームと同様、領域Ａ１への書き込みを行うが、この領域Ａ１への書き込みを行う際は、本来の領域Ａ１への書き込み位置ｐ０から２画素分だけ下にずらした位置ｐ２から書き込みを開始する。以降、第２フレームと同様の書き込み及び点灯制御を行う。
【００９３】
また、図９（Ｂ）は、スクリーンなどの表示面上での表示状態を示すもので、領域Ａ１，Ａ２，Ａ３，Ａ４が順次照明されて表示状態となる。また、図９（Ｃ）は各領域Ａ１〜Ａ４に対応する固体光源Ｌ４１〜Ｌ４５，Ｌ３１〜Ｌ３５，Ｌ２１〜Ｌ２５，Ｌ１１〜Ｌ１５の点灯・消灯状態を示すものである。なお、画像制御部２０は、各固体光源に対する点灯制御を行う際、所定順序で照明状態となった領域間で、ある一定時間だけ消灯時間を設けるような点灯制御を行う。
【００９４】
すなわち、図９（Ｃ）に示すように、各領域Ａ１，Ａ２，Ａ３，Ａ４におけるそれぞれの点灯タイミングの間にわずかの時間Δｔを設けている。このΔｔ時間の間に、図９（Ｄ）に示すように、画像制御部２０から光学像移動制御部２１に対する移動制御情報が出力され、それによって、光学像移動制御部２１が液晶装置１１を所定画素分だけ移動させる。
【００９５】
このように、各領域間に設けられたΔｔの消灯時間を利用して液晶装置１１に対応する光学像の移動を行うようにしているので、液晶装置１１に対応する光学像の移動を表示面上で視聴者に視認されることなく行うことができる。
【００９６】
なお、図９からもわかるように、各領域Ａ１，Ａ２，Ａ３，Ａ４に対応する固体光源Ｌ４１〜Ｌ４５，Ｌ３１〜Ｌ３５，Ｌ２１〜Ｌ２５，Ｌ１１〜Ｌ１５は、順番に所定時間だけ点灯状態となり、また、各領域Ａ１，Ａ２，Ａ３，Ａ４におけるそれぞれの点灯タイミングの間にわずかの時間Δｔが存在するが、視聴者は明るさを積分した状態で見ることになるため、視聴者には各フレーム全体が照明されているかのように見える。
【００９７】
図９で説明した画像表示制御を行うことによって、前述の「画質劣化改善方法（その１）」または「画質劣化改善方法（その２）」で説明したように、ある１つの表示画素が複数の物理画素で表示されることになる。これは、光源点灯制御部１の点灯制御に基づいて、液晶装置１１に対応する光学像をスクリーンなどの表示面上で移動させることにより、液晶装置１１の物理画素と表示画像の表示画素との対応が時間によって変化するということである。
【００９８】
これによって、液晶装置１１における各物理画素の特性に起因して発生する表示画像の画質劣化を抑制することができ、高品質な画像表示が可能となる。具体的には、液晶装置１１のある特定の物理画素に、たとえば、常時消灯や常時点灯などの不具合が存在する場合、常時消灯による暗点や常時点灯による輝点を分散することができる。すなわち、液晶装置１１の特性差が時間的に平均化されるので、表示画像上においては、これら暗点や輝点は殆んど視認できない状態となる。
【００９９】
なお、光学像移動制御部２１による液晶装置１１の移動制御を行う際、「画質劣化改善方法（その１）」または「画質劣化改善方法（その２）」で説明したように、液晶装置１１に対応する光学像１１は、光学像移動制御部２１の移動制御によって表示面上で移動するが、表示画像に対しては、画像制御部２０が液晶装置１１に対応する光学像１１の移動を相殺するような書き込み制御を行うので、表示画像は表面上においてその位置が変化することはない。
【０１００】
また、図９で説明したような画像表示制御を行うことにより、尾引きのあるぼやけた画像となるのを防止することもできる。すなわち、各領域Ａ１，Ａ２，Ａ３，Ａ４が順次照明されるような点灯制御がなされるので、ある１画面（１フレーム）全体の表示状態が次のフレームまで保持されることがなくなり、ＣＲＴと同様なインパルス的な表示制御が可能となる。また、ある領域への書き込みと該領域に対する光源の点灯を所定時間ずらして行うことにより、その領域の液晶が安定した応答状態となってから該領域の光源を点灯させることができ、高品質な画像表示が可能となる。
【０１０１】
また、この実施形態１では、光源として固体光源を用いることにより、瞬時点灯・消灯が可能で、かつ、輝度ムラ・色ムラの少ない照明が可能となる。また、瞬時点灯・瞬時消灯が可能であるということは、高精度でかつ自由なタイミングでの点灯制御が可能となり、これにより、図９に示すようなきめこまかい点灯制御を容易に実現することができる。
【０１０２】
なお、実施形態１では、説明の簡単化のため、液晶装置は１個とした例が示されているが、Ｒ（赤）、Ｇ（緑）、Ｂ（青）のそれぞれの液晶装置が設けられた３板式の場合にも同様に実施することができることは勿論である。
【０１０３】
図１０は実施形態１に係るプロジェクタを３板式とした場合の光学系を概略的に示す平面図である。図１０に示すように、赤用、緑用、青用のそれぞれの液晶装置１１Ｒ，１１Ｇ，１１Ｂがクロスダイクロイックプリズム３１の３面を囲むように設けられている。
【０１０４】
そして、これら液晶装置１１Ｒ，１１Ｇ，１１Ｂに対応して、それぞれの液晶装置１１Ｒ，１１Ｇ，１１Ｂの領域Ａ１，Ａ２，Ａ３，Ａ４ごとのロッドインテグレータ２０１，２０２，２０３，２０４（図１０は平面図であるため、ロッドインテグレータ２０１のみが示されている）と、各色用の固体光源として、赤用の固体光源Ｌ１１Ｒ〜Ｌ１５Ｒ，Ｌ２１Ｒ〜Ｌ２５Ｒ，Ｌ３１Ｒ〜Ｌ３５Ｒ，Ｌ４１Ｒ〜Ｌ４５Ｒと、緑用の固体光源Ｌ１１Ｇ〜Ｌ１５Ｇ，Ｌ２１Ｇ〜Ｌ２５Ｇ，Ｌ３１Ｇ〜Ｌ３５Ｇ，Ｌ４１Ｇ〜Ｌ４５Ｇと、青用の固体光源Ｌ１１Ｂ〜Ｌ１５Ｂ，Ｌ２１Ｂ〜Ｌ２５Ｂ，Ｌ３１Ｂ〜Ｌ３５Ｂ，Ｌ４１Ｂ〜Ｌ４５Ｂとが設けられる。
【０１０５】
なお、図１０は平面図であるため、固体光源Ｌ１１Ｒ〜Ｌ１５Ｒ、固体光源Ｌ１１Ｇ〜Ｌ１５Ｇ、固体光源Ｌ１１Ｂ〜Ｌ１５Ｂのみが示されている。その他、図１と同様に、それぞれ対応する集光レンズ２１１〜２１５とそれぞれ液晶装置１１Ｒ，１１Ｇ，１１Ｂに対応して集光レンズ２４、投写レンズ１３などが設けられ、さらに、図１では省略したが、偏向板３２なども設けられている。
【０１０６】
このような３板式のプロジェクタにおいても、それぞれの色（Ｒ，Ｇ，Ｂ）用の固体光源に対し、図９で説明したような点灯制御及び各色用の液晶装置１１Ｒ，１１Ｇ，１１Ｂの移動制御を行うことが可能である。
【０１０７】
また、実施形態１では、各個体光源からの光を均一化するためにロッドインテグレータを用いたが、ロッドインテグレータの代わりに拡散板やホログラフィックディフューザを用いることもできる。また、両者を組み合わせるようにしてもよい。
【０１０８】
また、実施形態１では、液晶装置１１のある１つの領域に対応する固体光源としては、水平方向に１列に並べられた５個の固体光源で構成するようにしたが、これに限られるものではなく、それぞれの領域の大きさや形状に応じて、垂直方向及び水平方向に任意の数の固体光源を配置した構成とすることが可能である。
また、２次元方向に発光可能な棒状の固体光源があれば、各領域における光源として、その棒状の固体光源を必要な本数だけ設けるようにすることも可能である。
【０１０９】
[実施形態２]
前述の実施形態１は光源として固体光源を用い、固体光源を液晶装置１１の各領域Ａ１，Ａ２，Ａ３，Ａ４に対応させて配置させた例であったが、実施形態２では光源としては、通常のプロジェクタなどで一般的に用いられている放電ランプなどを用い、この光源からの光を液晶装置１１上でスクロールさせることによって、各領域Ａ１，Ａ２，Ａ３，Ａ４を各領域ごとに照明する例について説明する。
【０１１０】
図１１は本発明の実施形態２に係るプロジェクタの光学系を概略的に示す側面図である。実施形態２のプロジェクタは、電気光学変調装置としての液晶装置１１と、この液晶装置１１のバックライトとしての役目をなす放電ランプなどの光源５１と、光源５１と液晶装置１１との間に設けられたインテグレータレンズ５２と、集光レンズ５３と、光源５１からの光を液晶装置１１上でスクロールさせることによって各領域Ａ１，Ａ２，Ａ３，Ａ４ごとの照明を可能とする光走査装置５４と、フィールドレンズ５５と、液晶装置１１の射出側に設けられた投写レンズ１３とを有している。
【０１１１】
光走査装置５４は、光源５１からの光をそれぞれの時間ずつ断続的に透過・遮光可能な光透過・遮光部（光透過・遮光板６１という）と、光源５１からの光を各領域Ａ１，Ａ２，Ａ３，Ａ４に順次走査可能な光走査光学系（走査レンズ６２という）とを有している。なお、この光走査装置５４の光透過・遮光板６１及び走査レンズ６２は、図１１では図示されない光走査装置制御部３（図１３参照）によって駆動制御される。
【０１１２】
また、この実施形態２においても、液晶装置１１は、上下方向（図１１の矢印ｙ−ｙ’方向）及び左右方向（実施形態１の説明で用いた図１（Ｂ）の矢印ｘ−ｘ’方向）に表示画素の整数倍の位置に移動可能な可動式の液晶装置であるとする。
【０１１３】
また、光透過・遮光板６１は、ステッピングモータ（図示せず）などによって回転可能な回転軸６１１とこの回転軸６１１に取り付けられた円盤６１２とを有している。そして、円盤６１２は、集光レンズ５３によって光源５１からの光が集光する位置に設置され、図示の破線枠内で示すように、光源５１からの光を透過させる光透過部６１２ａと光を遮光する遮光部６１２ｂを有している。この光透過・遮光板６１の駆動は、画像制御部２０から与えられる光透過・遮光部制御情報に基づいて光走査装置制御部３が行う。
【０１１４】
図１２は光透過・遮光板６１が回転することによる光透過・遮光を説明する図であり、光透過・遮光板６１の回転により、光源５１からの光を透過する光透過時間Ｔａと光を遮光する遮光時間Ｔｂが得られる。なお、遮光時間Ｔｂは光透過時間Ｔａに比べ、ごく短い時間としている。
【０１１５】
また、走査レンズ６２は、図１１の矢印ａで示すように回動可能となっており、図１１に示すように、たとえば、Ｐ１，Ｐ２，Ｐ３，Ｐ４の４段階の位置に設定可能となっている。この走査レンズ６２のＰ１，Ｐ２，Ｐ３，Ｐ４への設定は、画像制御部２０から与えられる光走査光学系制御情報に基づいて光走査装置制御部３が行う。
【０１１６】
なお、走査レンズ６２がＰ１の位置に設定された場合には、光源５１からの光は、液晶装置１１のＡ１の領域に照射され、走査レンズ６２がＰ２の位置に設定された場合には、光源５１からの光は、液晶装置１１のＡ２の領域に照射される。また、走査レンズ６２がＰ３の位置に設定された場合には、光源５１からの光は液晶装置１１のＡ３の領域に照射され、走査レンズ６２がＰ４の位置に設定された場合には、光源５１からの光は液晶装置１１のＡ４の領域に照射されるものとする。
【０１１７】
図１３は、実施形態２に係るプロジェクタの画像表示制御部（これを画像表示制御部１０’とする）の概要を示すブロック図である。実施形態２に係るプロジェクタの画像表示制御部１０’は、実施形態１に係るプロジェクタの画像表示制御部１０（図２参照）で示した光源点灯制御部１と画質劣化改善部２の他に、光走査装置制御部３をさらに有している。
光走査装置制御部３は、画像制御部２０からの制御情報に基づいて光走査装置５４（光透過・遮光板６１及び走査レンズ６２）を制御するものである。すなわち、光走査装置制御部３は、画像制御部２０から与えられる光透過・遮光部制御情報に基づいて光透過・遮光板６１の駆動制御を行い、光走査光学系制御情報に基づいて走査レンズ６２の回動制御を行う。
【０１１８】
画質劣化改善部２は、実施形態１と同様、画像制御部２０と光学像移動制御部２１を有する。なお、画像制御部２０は、実施形態１と同様、光学像移動制御部２１に対して、移動制御情報を出力する機能、液晶装置１１への画像データの書き込み制御を行う機能の他に、実施形態２においては、光走査装置制御部３に対して、光透過・遮光部制御情報及び光走査光学系制御情報を出力する機能を有している。なお、実施形態２においても、画像制御部２０は、液晶装置１１に対応する光学像が移動方向と逆方向に同じ移動量だけ移動可能となるような書き込み制御を行う。
また、光源点灯制御部１は、光源５１を点灯制御するものであるが、実施形態２の場合は、実施形態１と異なり、光源５１に対する所定のタイミングでの点灯・消灯制御は不要となる。
【０１１９】
なお、実施形態２における各領域Ａ１〜Ａ４への書き込みと、これら各領域Ａ１〜Ａ４に対する照明のタイミングは、実施形態１の説明で用いた図９と同様のタイミングで行うことが可能である。なお、実施形態２の場合は、各領域Ａ１〜Ａ４に対する照明は、走査レンズ６２をＰ１，Ｐ２，Ｐ３，Ｐ４の位置とすることによって、光源５１からの光を各領域Ａ１，Ａ２，Ａ３，Ａ４に照射させる点が実施形態１と異なる。
【０１２０】
また、光走査装置制御部３による走査レンズ６２の回動制御と、光学像移動制御部２１による液晶装置１１の移動制御は、光透過・遮光板６１が光を遮光している間、すなわち、遮光時間Ｔｂの間に行われる。これにより、各領域ごとの照明の切り替えと光学像の移動を行う際、各領域ごとの照明の切り替えと光学像の移動が表示面上で視聴者に視認されることなく行うことができる。
【０１２１】
この実施形態２においても、ある１つの表示画素が複数の物理画素で表示されることになり、液晶装置１１の特性差が時間的に平均化される。たとえば、前述したように、液晶装置１１の物理画素に常時点灯や常時消灯といった不具合があるがために、表示画像上に極度な暗点や輝点などの画質劣化が現れる場合にも、これらの暗点や輝点が時間的に平均化されて、殆ど視認できなくなるまでに改善することが可能となる。また、実施形態１と同様、尾引きのあるぼやけた画像となるのを防止することが可能である。
【０１２２】
なお、実施形態２では、説明の簡単化のため、液晶装置１１は１個とした例が示されているが、実施形態１でも述べたように、Ｒ（赤）、Ｇ（緑）、Ｂ（青）のそれぞれの液晶装置が設けられた３板式の場合にも同様に実施することができることは勿論である。
図１４は実施形態２に係るプロジェクタを３板式とした場合の光学系を概略的に示す図である。なお、図１４（Ａ）は平面図、図１４（Ｂ）は側面図である。
【０１２３】
３板式のプロジェクタは、図１４に示すように、光源５１、インテグレータレンズ５２と、集光レンズ５３と、光走査装置５４（光透過・遮光板６１と走査レンズ６２とを有している）と、フィールドレンズ５５と、光走査装置５４から出力される光をＲ，Ｇ，Ｂの３つの色光に分離する色分離光学系５７と、色分離光学系５７で分離された３つの色光のそれぞれに対応する液晶装置１１Ｒ，１１Ｇ、１１Ｂと、液晶装置１１Ｒ，１１Ｇ、１１Ｂで変調された色光を変調するクロスダイクロイックプリズム３１と、クロスダイクロイックプリズム３１によって合成され光をスクリーンなどの表示面に投写する投写レンズ１３とを有している。
【０１２４】
なお、色分離光学系５７としては、光源から各液晶装置１１Ｒ，１１Ｇ、１１Ｂまでの光路長が等しい等光路光学系が用いられている。この色分離光学系５７は、色光を分離するダイクロイックミラー５７０，５７１，５７２と、色光を反射するミラー５７３，５７４，５７５，５７６と、リレーレンズ５７７，５７８と、フィールドレンズ５７９Ｒ，５７９Ｇ，５７９Ｂとを有した構成となっている。
この図１４に示すような３板式のプロジェクタにおいても、図１１のプロジェクタで説明したと同様の画像表示制御を行うことが可能である。
【０１２５】
[実施形態３]
実施形態３は、実施形態１及び実施形態２で説明した、液晶装置１１上の複数の領域を各領域ごとに順次照明することが可能であることと、スクリーンなどの表示面上において液晶装置１１に対応する光学像の移動制御が可能であることとを利用して、画素数の少ない液晶装置で、画素数の多い（高解像度な）画像を表示面上に投写可能とするものである。
【０１２６】
たとえば、液晶装置１１の画素数が５４０画素×１４４０画素であった場合、この液晶装置１１を用いて、スクリーンなどの表示面上で１０８０画素×１４４０画素の投写画像を表示することを考える。
【０１２７】
ここでは、説明を簡単化するため、５４０画素×１４４０画素の液晶装置１１を２つの領域Ａ１（１ライン目から２７０ライン目）と領域Ａ２（２７１ライン目から５４０ライン目）に区分し、これをたとえば、実施形態１で説明したような４つの領域Ａ１，Ａ２，Ａ３，Ａ４に対応して設けられた固体光源によって照明可能である場合について説明する。
【０１２８】
また、前述の実施形態１と同様に、液晶装置１１は可動式であって、光学像移動制御部２１により垂直方向に、少なくとも、液晶装置１１の垂直方向における表示可能画素数分（この例では５４０画素）以上移動可能となっているものとする。
【０１２９】
図１５は実施形態３に係るプロジェクタの動作を説明するためのタイムチャートである。図１５（Ａ）に示すように、まず、領域Ａ１を照明するとともに領域Ａ２への書き込みを行う。そして、領域Ａ１への書き込みを行うとともに、すでに書き込みの終了した領域Ａ２を照明する。
【０１３０】
ここで、液晶装置１１を下方向に５４０画素分だけ移動させ、この５４０画素分の移動を行った状態で、すでに書き込みの終了した領域Ａ１を照明するとともに、領域Ａ２への書き込みを行う。そして、領域Ａ１への書き込みを行うとともに、すでに書き込みの終了した領域Ａ２を照明する。
【０１３１】
ここで、液晶装置１１を上方向に５４０画素分だけ移動させ、この５４０画素分の移動を行った状態で、すでに書き込みの終了した領域Ａ１を照明するとともに、領域Ａ２への書き込みを行う。
【０１３２】
以上のような操作を繰り返すことにより、図１５（Ｂ）に示すように、この実施形態３では５４０画素×１４４０画素の液晶装置１１を用いて、それよりも大きな（高解像度な）画像データ（１０８０画素×１４４０画素）をスクリーンなどの表示面上で表示することができる。
実施形態３で示した例は一例であって、液晶装置１１の画素数や、光源が表示可能な領域数も上述の例に限られるものではない。
【０１３３】
なお、本発明は上述の各実施形態に限られるものではなく、本発明の要旨を逸脱しない範囲で種々変形実施可能となるものである。
たとえば、実施形態１〜３では、液晶装置１１に対応する光学像を移動させる方法として、液晶装置１１を上下方向及び／又は左右方向に移動させる例で説明したが、これに限られるものではなく、図１６に示すような方法も採用可能である。
【０１３４】
図１６は、光学像移動制御部２１が行う光学像移動方法の幾つかの例を模式的に示す図である。光学像移動制御部２１が行う光学像移動方法としては、たとえば、図１６（Ａ）に示すように、投写光学系４１を上下左右方向にシフトさせるような方法（ただし、図１６（Ａ）では、上方向に移動させる例のみが示されている）、または、図１６（Ｂ）に示すように、光学部品４２を光路中に挿入する方法、さらには、図１６（Ｃ）に示すように照明光の方向を変化させる方法など様々な方法が考えられる。また、そのいずれもが本発明に適用可能である。
【０１３５】
また、実施形態１及び実施形態２では、液晶装置１１のパネル面を４つの領域に区分した例で説明したが、領域数は４つに限られるものではないことは勿論である。
また、実施形態１〜３においては、電気光学変調装置として液晶装置を用いた場合について説明したが、液晶装置以外の電気光学変調装置を用いたプロジェクタにも適用できる。
【図面の簡単な説明】
【０１３６】
【図１】本発明の実施形態１に係るプロジェクタの光学系を概略的に示す図。
【図２】実施形態１に係るプロジェクタの画像表示制御部の概要を示すブロック図。
【図３】ある１つの表示画素を複数の物理画素で表示する動作を説明するための図。
【図４】表示画像のある１つの表示画素を１６個の物理画素で表示する例を模式的に示す図。
【図５】ある物理画素が常時消灯の不具合を持っている場合における該物理画素を通る破線矢印線上の線輝度分布例を示す図。
【図６】ある１つの表示画素を１６個の物理画素で表示した場合の破線矢印上の輝度分布を説明するための図。
【図７】ある１つの表示画素を１６個の物理画素で表示させる例を模式的に示す図。
【図８】「画質劣化改善方法（その１）」及び「画質劣化改善方法（その２）」におけるそれぞれの画像表示制御結果を比較するための図。
【図９】実施形態１に係るプロジェクタの画像表示制御について説明するタイムチャート。
【図１０】実施形態１に係るプロジェクタを３板式とした場合の光学系を概略的に示す平面図。
【図１１】本発明の実施形態２に係るプロジェクタの光学系を概略的に示す側面図。
【図１２】光透過・遮光板が回転することによる光透過・遮光を説明する図。
【図１３】実施形態２に係るプロジェクタの画像表示制御部の概要を示すブロック図。
【図１４】実施形態２に係るプロジェクタを３板式とした場合の光学系を概略的に示す図。
【図１５】実施形態３に係るプロジェクタの動作を説明するためのタイムチャート。
【図１６】光学像移動方法の具体例を模式的に示す図。
【符号の説明】
【０１３７】
１・・・光源点灯制御部、２・・・画質劣化改善部、３・・・光走査装置制御部、１０，１０’・・・画像表示制御部、１１・・・液晶装置、１１’・・・液晶装置に対応する光学像、２０・・・画像制御部、２１・・・光学像移動制御部、Ｌ１１〜Ｌ１５，Ｌ２１〜Ｌ２５，Ｌ３１〜Ｌ３５，Ｌ４１〜ｌ４５・・・固体光源、Ａ１，Ａ２，Ａ３，Ａ４・・・領域、５１・・・光源、５４・・・光走査装置、６１・・・光透過・遮光板、６２・・・走査レンズ
【図１】
2006113229.tif 000009
【図２】
2006113229.tif 000010
【図３】
2006113229.tif 000011
【図４】
2006113229.tif 000012
【図５】
2006113229.tif 000013
【図６】
2006113229.tif 000014
【図７】
2006113229.tif 000015
【図８】
2006113229.tif 000016
【図１２】
2006113229.tif 000017
【図１３】
2006113229.tif 000018
【図１６】
2006113229.tif 000019
【図９】
2006113229.tif 000020
【図１０】
2006113229.tif 000021
【図１１】
2006113229.tif 000022
【図１４】
2006113229.tif 000023
【図１５】
2006113229.tif 000024
【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
電気光学変調装置の画像形成領域を複数に区分して得られた各領域ごとに照明可能に設けられた固体光源と、
前記各領域への画像データの書き込みに基づいて、前記固体光源を点灯制御する光源点灯制御部と、
前記電気光学変調装置に対応する光学像を表示面上で移動させることにより、前記表示面上に表示される表示画像の、あるＭ個（Ｍは自然数）の表示画素を、前記電気光学変調装置のＮ個（Ｎは自然数でＮ＞Ｍ）の物理画素を用いて表示させる画質劣化改善部と、
を有することを特徴とするプロジェクタ。
【請求項２】
請求項１に記載のプロジェクタにおいて、
前記画質劣化改善部は、
前記光学像の移動制御情報を出力する機能、前記光源点灯制御部に対して前記各領域を所定の順序で照明可能とする点灯制御情報を出力する機能及び前記電気光学変調装置への画像データの書き込み制御を行う機能を有する画像制御部と、
前記画像制御部からの移動制御情報に基づいて、前記電気光学変調装置に対応する光学像を前記表示画素の整数倍の位置に移動可能な光学像移動制御部と、
を有することを特徴とするプロジェクタ。
【請求項３】
請求項２に記載のプロジェクタにおいて、
前記画像制御部が行う書き込み制御は、前記表示画像を前記電気光学変調装置に対応する光学像の移動方向と逆方向に同じ移動量だけ移動させる書き込み制御であることを特徴とするプロジェクタ。
【請求項４】
請求項２または３に記載のプロジェクタにおいて、
前記光源点灯制御部は、前記画像制御部から前記点灯制御情報が出力された際、ある領域の照明時間と次の領域の照明時間との間に消灯時間が存在するように、前記固体光源の点灯制御を行うことを特徴とするプロジェクタ。
【請求項５】
請求項４記載のプロジェクタにおいて、
前記光学像移動制御部は、前記消灯時間に、前記電気光学変調装置に対応する光学像を前記表示画素の整数倍の位置に移動させることを特徴とするプロジェクタ。
【請求項６】
請求項１〜５のいずれかに記載のプロジェクタにおいて、
前記Ｍ個の表示画像のＭは１であることを特徴とするプロジェクタ。
【請求項７】
電気光学変調装置を照明可能な光源と、
前記光源に対する点灯制御を行う光源点灯制御部と、
前記光源からの光を前記電気光学変調装置上でスクロールさせることによって、前記電気光学変調装置の画像形成領域を複数に区分して得られた各領域ごとに照明可能な光走査装置と、
前記光走査装置を制御する機能を有する光走査装置制御部と、
前記電気光学変調装置に対応する光学像を表示面上で移動させることにより、前記表示面上に表示される表示画像の、あるＭ個（Ｍは自然数）の表示画素を、前記電気光学変調装置のＮ個（Ｎは自然数でＮ＞Ｍ）の物理画素を用いて表示させる画質劣化改善部と、
を有することを特徴とするプロジェクタ。
【請求項８】
請求項７に記載のプロジェクタにおいて、
前記光走査装置は、前記光源からの光をそれぞれの時間ずつ断続的に透過・遮光可能な光透過・遮光部と、前記光源からの光を前記各領域に対応して順次走査可能とする光走査光学系とを有することを特徴とするプロジェクタ。
【請求項９】
請求項８に記載のプロジェクタにおいて、
前記画質劣化改善部は、
前記光学像移動制御部に対して移動制御情報を出力する機能、前記光走査装置制御部に対して前記光透過・遮光部を制御するための光透過・遮光部制御情報及び前記光走査光学系を制御する光走査光学系制御情報をそれぞれ出力する機能、前記電気光学変調装置への画像データの書き込み制御を行う機能を有する画像制御部と、
前記画像制御部からの移動制御情報に基づいて、前記電気光学変調装置に対応する光学像を前記表示画素の整数倍の位置に移動可能な光学像移動制御部と、
を有することを特徴とするプロジェクタ。
【請求項１０】
請求項９に記載のプロジェクタにおいて、
前記画像制御部は、前記光透過・遮光部による光の遮光時間を利用して前記光走査光学系制御情報の出力及び前記光学像移動制御部に対する移動制御情報の出力を行うことを特徴とするプロジェクタ。
【請求項１１】
電気光学変調装置の画像形成領域を複数に区分して得られた各領域ごとに照明可能に設けられた固体光源と、前記各領域への画像データの書き込みに基づいて、前記固体光源を点灯制御する光源点灯制御部と、前記電気光学変調装置に対応する光学像を表示面上で移動させる光学像移動制御部とを有し、前記電気光学変調装置の画素数よりも多くの画素数の表示画像を前記表示画面で表示可能なプロジェクタであって、
前記光源点灯制御部は、前記電気光学変調装置上の複数の領域に加えて、該電気光学変調装置上の複数の領域に連続する少なくとも１つの領域を照明可能とする点灯制御を可能とし、前記光学像移動制御部は、前記電気光学変調装置に対応する光学像を、少なくとも、電気光学変調装置の垂直方向における表示可能画素数分だけ垂直方向に移動可能とすることを特徴とするプロジェクタ。
【請求項１２】
電気光学変調装置を照明可能な光源と、前記光源に対する点灯制御を行う光源点灯制御部と、前記光源からの光を前記電気光学変調装置上でスクロールさせることによって、前記電気光学変調装置の画像形成領域を複数に区分して得られた各領域ごとに照明可能な光走査装置と、前記光走査装置を制御する機能を有する光走査装置制御部と、前記電気光学変調装置に対応する光学像を表示面上で移動させる光学像移動制御部とを有し、前記電気光学変調装置の画素数よりも多くの画素数の表示画像を前記表示画面で表示可能なプロジェクタであって、
前記光走査装置制御部は、前記電気光学変調装置上の複数の領域に加えて、該電気光学変調装置上の複数の領域に連続する少なくとも１つの領域を照明可能とする光走査制御を可能とし、前記光学像移動制御部は、少なくとも、電気光学変調装置の垂直方向における表示可能画素数分だけ垂直方向に移動可能とすることを特徴とするプロジェクタ。
【手続補正２】
【補正対象書類名】明細書
【補正対象項目名】０００８
【補正方法】変更
【補正の内容】
【０００８】
【特許文献１】特開２００１−１０９４２３号公報
【特許文献２】特開２００１−３５６７３０号公報
【特許文献３】特開２００２−１８９４４０号公報
【特許文献４】特開２００２−３６６１０９号公報
【特許文献５】特開２００３−３１６３３０号公報
【手続補正３】
【補正対象書類名】明細書
【補正対象項目名】００２０
【補正方法】変更
【補正の内容】
【００２０】
（２）前記（１）に記載のプロジェクタにおいて、前記画質劣化改善部は、前記光学像の移動制御情報を出力する機能、前記光源点灯制御部に対して前記各領域を所定の順序で照明可能とする点灯制御情報を出力する機能及び前記電気光学変調装置への画像データの書き込み制御を行う機能を有する画像制御部と、前記画像制御部からの移動制御情報に基づいて、電気光学変調装置に対応する光学像を前記表示画素の整数倍の位置に移動可能な光学像移動制御部とを有することが好ましい。
画質劣化改善部をこのような構成とすることによって、前記（１）に記載のプロジェクタを実現することができる。
【手続補正４】
【補正対象書類名】明細書
【補正対象項目名】００２１
【補正方法】変更
【補正の内容】
【００２１】
（３）前記（２）に記載のプロジェクタにおいて、前記画像制御部が行う書き込み制御は、前記表示画像を前記電気光学変調装置に対応する光学像の移動方向と逆方向に同じ移動量だけ移動させる書き込み制御であることが好ましい。
これにより、電気光学変調装置に対応する画像光が表示面上で位置が変化しても、表示画像は表示面上においてその位置が変化することはなく、表示画面を見るユーザに違和感を与えることはない。
【手続補正５】
【補正対象書類名】明細書
【補正対象項目名】００２２
【補正方法】変更
【補正の内容】
【００２２】
（４）前記（１）〜（３）のいずれかに記載のプロジェクタにおいて、前記光源点灯制御部は、前記画像制御部から前記点灯制御情報が出力された際、ある領域の照明時間と次の領域の照明時間との間に消灯時間が存在するように、前記固体光源の点灯制御を行うことが好ましい。
このように、所定順序で照明される領域の照明時間の間で、ある一定時間だけ消灯時間を設けることによって、表示面上で視聴者に視認されない時間を設けることができ、この消灯時間を利用して何らかの操作を行うことができる。
【手続補正６】
【補正対象書類名】明細書
【補正対象項目名】００２３
【補正方法】変更
【補正の内容】
【００２３】
（５）前記（４）に記載のプロジェクタにおいて、前記光学像移動制御部は、前記消灯時間に、前記電気光学変調装置に対応する光学像を前記表示画素の整数倍の位置に移動させることが好ましい。
このように、各照明時間の間に設けられた消灯時間を利用して電気光学変調装置に対応する光学像の移動を行うようにしているので、電気光学変調装置に対応する光学像の移動を表示面上で視聴者に視認されることなく行うことができる。